(57)【要約】【課題】設定が登録されている無線ＬＡＮアクセスポイントの一覧を表示する場合に、拒否リストを作成することなく選択的に無線ＬＡＮアクセスポイントを表示すること。【解決手段】複数の無線ＬＡＮアクセスポイントの設定を登録／格納する設定登録／格納手段と、前記設定登録／格納手段に設定が格納されている無線ＬＡＮアクセスポイントのそれぞれに対して使用および非使用の何れか一方の情報を登録する使用／非使用設定登録手段と、登録されているアクセスポイントを表示する表示手段であって、前記使用／非使用設定登録手段に使用の情報が登録されているアクセスポイントを選択的に表示する表示手段とを具備する。【選択図】    図８
2009182893.tif 000002
【特許請求の範囲】
【請求項１】
無線ＬＡＮアクセスポイントを介して他の無線ＬＡＮクライアントまたは他のネットワークに接続する無線ＬＡＮ接続可能な携帯機器であって、
複数の無線ＬＡＮアクセスポイントの設定を登録／格納する設定登録／格納手段と、
前記設定登録／格納手段に設定が格納されている無線ＬＡＮアクセスポイントのそれぞれに対して使用および非使用の何れか一方の情報を登録する使用／非使用設定登録手段と、
登録されているアクセスポイントを表示する表示手段であって、前記使用／非使用設定登録手段に使用の情報が登録されているアクセスポイントを選択的に表示する表示手段とを具備することを特徴とする携帯機器。
【請求項２】
ビーコン信号を発信している無線ＬＡＮアクセスポイントの検索を行う手段と、
検索された無線ＬＡＮアクセスポイントの名前のうち登録されているものだけを接続先候補として表示装置に表示する手段とを具備することを特徴とする請求項１に記載の携帯機器。
【請求項３】
検索された無線ＬＡＮクライアントが送信する電波信号の電波強度を検出する手段と、
前記設定登録／格納手段に登録されている無線ＬＡＮアクセスポイントが検索された場合、電波強度が最も高い無線ＬＡＮアクセスポイントと自動的に接続する手段とを具備することを特徴とする請求項２記載の携帯機器。
【請求項４】
ユーザが前記設定登録／格納手段を用いて、無線ＬＡＮアクセスポイントとの接続に係わる、登録名、ネットワーク名、セキュリティの種類、暗号化の種類、ネットワークキー、プロキシー、およびＩＰアドレス設定を手動設定により設定する場合、
前記設定登録／格納手段は、当該無線ＬＡＮアクセスポイントがビーコン信号を発信しない非公開である旨の設定を行うこと特徴とする請求項１に記載の携帯機器。
【請求項５】
無線ＬＡＮアクセスポイントを介して他の無線ＬＡＮクライアントまたは他のネットワークに接続する無線ＬＡＮ接続可能な携帯機器の制御方法であって、
１以上のアクセスポイントの設定を登録し、
設定が登録されている無線ＬＡＮアクセスポイントのそれぞれに対して使用および非使用の何れか一方の情報を登録し、
登録されているアクセスポイントの一覧を表示する場合に、使用の情報が登録されているアクセスポイントを選択的に表示することを特徴とする制御方法。
【請求項６】
ビーコン信号を発信している無線ＬＡＮアクセスポイントの検索を行い、
検索された無線ＬＡＮアクセスポイントの名前のうち登録されているものだけを接続先候補として表示装置に表示することを特徴とする請求項５に記載の制御方法。
【請求項７】
検索された無線ＬＡＮクライアントが送信する電波信号の電波強度を検出し、
設定が登録されている無線ＬＡＮアクセスポイントが検索された場合、電波強度が最も高い無線ＬＡＮアクセスポイントと自動的に接続することを特徴とする請求項６記載の制御方法。
【請求項８】
ユーザが無線ＬＡＮアクセスポイントとの接続に係わる、登録名、ネットワーク名、セキュリティの種類、暗号化の種類、ネットワークキー、プロキシー、およびＩＰアドレス設定を手動設定により設定する場合、
当該無線ＬＡＮアクセスポイントがビーコン信号を発信しない非公開である旨の設定を行うこと特徴とする請求項５に記載の携帯機器。
【発明の詳細な説明】
【技術分野】
【０００１】
本発明は、無線ＬＡＮによって無線ＬＡＮアクセスポイントと通信を行う携帯機器および制御方法に関する。
【背景技術】
【０００２】
現在、ネットワークに接続するために有線ではなく無線で行う無線ＬＡＮが多く使われている。無線ＬＡＮ機能を搭載した機器は、無線ＬＡＮアクセスポイントと通信を行って他の装置やインターネットに接続するインフラストラクチャモードを有する。
【０００３】
無線ＬＡＮは、携帯可能なデバイスで用いられることが多い。携帯可能なデバイスは、持ち歩いて様々な場所で使われることが多く、使用する場所に応じて様々なアクセスポイントと接続する。そのため、無線ＬＡＮアクセスポイントとの通信を行うための設定を複数保持する。
【０００４】
特許文献１には、周辺の無線アクセスポイントをサーチしてアクセスポイントリストを作成し、拒否リストにあるアクセスポイントを削除してアクセスポイントリストを表示する無線端末が開示されている
【特許文献１】特開２００４−３２８２７４号公報（請求項１，２、［００３２］、図６）
【発明の開示】
【発明が解決しようとする課題】
【０００５】
ところで、上述した技術では、色々の場所でサーチを行うと、拒否リスト中のアクセスポイントの数が増えてしまうという問題がある。
【０００６】
本発明の目的は、設定が登録されている無線ＬＡＮアクセスポイントの一覧を表示する場合に、拒否リストを作成することなく選択的に無線ＬＡＮアクセスポイントを表示することが可能な携帯機器および制御方法を提供することにある。
【課題を解決するための手段】
【０００７】
本発明の一例に係わる無線ＬＡＮアクセスポイントを介して他の無線ＬＡＮクライアントまたは他のネットワークに接続する無線ＬＡＮ接続可能な携帯機器は、複数の無線ＬＡＮアクセスポイントの設定を登録／格納する設定登録／格納手段と、前記設定登録／格納手段に設定が格納されている無線ＬＡＮアクセスポイントのそれぞれに対して使用および非使用の何れか一方の情報を登録する使用／非使用設定登録手段と、登録されているアクセスポイントを表示する表示手段であって、前記使用／非使用設定登録手段に使用の情報が登録されているアクセスポイントを選択的に表示する表示手段とを具備することを特徴とする。
【発明の効果】
【０００８】
本発明によれば、設定が登録されている無線ＬＡＮアクセスポイントの一覧を表示する場合に、拒否リストを作成することなく選択的に無線ＬＡＮアクセスポイントを表示することが可能になる。
【発明を実施するための最良の形態】
【０００９】
本発明の実施の形態を以下に図面を参照して説明する。
【００１０】
（第１の実施形態）
図１は、この発明の実施形態の一例が適用され、主として携帯して用いられるメディアプレーヤ（情報処理装置）の主要な構成を説明する概略ブロック図である。
【００１１】
図１に示すメディアプレーヤ（音楽／画像／ビデオ情報記録再生装置）１は、ユーザ（利用者）からの制御信号の入力や選択指示信号の入力に用いられる操作部３、例えば現在再生中の音声／音楽プログラムのファイル名や音声プログラム中に含まれる文字情報あるいは映像データを再生した動画もしくは静止画が表示可能なＬＣＤパネル（液晶表示装置）５、例えば数Ｇ（ギガ）バイトないし数１０Ｇバイトの記憶容量が与えられたハードディスク装置（以下ＨＤＤと表示する）７、および主として携帯して用いられる際の電源であるバッテリ（二次電池）９、および主制御部であるＣＰＵ１１等を有する。なお、ＨＤＤ７は、プレーヤ１から取り外すことが可能にユニット化されている「モバイルディスク」、ＳＤ・ＭＭＣメモリカード、メモリスティックであってもよい。ＨＤＤ７は、ＦＬＡＳＨ  ＲＯＭ、ＳＳＤ（ＳｏｌｉｄＳｔａｔｅＤｉｓｋ）であってもよい。
【００１２】
ＣＰＵ１１には、ユーザによる操作部３の操作により入力される制御信号を受け付けるＩ／Ｏ（入出力）ポート１３、ＬＣＤパネル５に表示すべき画像や文字列を表示させるためのディスプレイドライバ（ＬＣＤ駆動回路）１５、ＨＤＤ７に保持されている映像データや音声／音楽データをアナログ出力に変換する出力部１７、およびバッテリ９により提供される電力すなわち所定の電圧および許容される電流を管理する電源制御ＩＣ（Power Management integrated circuit）１９等が接続されている。
【００１３】
ＣＰＵ１１にはまた、ＨＤＤ７に記憶されたデータの再生およびＨＤＤ７へのデータの記録、ならびにＨＤＤ７の起動あるいは図示しない主電源のオン／オフ等の制御に利用されるシステムメモリであるＲＯＭ（Read Only Memory）２１、（入力された）制御信号に対応する制御情報やコマンド等が一次的に保持するとともに、ＨＤＤ７から読み出された一定量のデータをバッファするワークメモリ、すなわちＲＡＭ（Random Access Memory）２３が、制御バス２５を経由して接続されている。ＣＰＵ１１１は、プレーヤ１の動作を制御するために設けられたプロセッサであり、ＲＡＭ２３にロードされる、無線ＬＡＮユーティリティ６０を実行する。
【００１４】
電源制御ＩＣ１９には、バッテリ９により提供される電力すなわち所定の電圧および許容される電流を管理する。バッテリ９には、充電部（charger）３３が接続されている。なお、充電部３３は、商用電源（ＡＣ１００Ｖ）を直接受け入れる構造とすることも可能であるが、この例では、プレーヤ１の小型化のため、通常は図示しない外部電源装置により、５Ｖ前後の直流（ＤＣ）に減圧／変換された直流電圧が電源入力部３３ａから入力される。
【００１５】
ＣＰＵ１１にはまた、映像データ（文字データを含む）や音楽データ（音声データを含む）の供給元となる、例えばパーソナルコンピュータとの間で、データの受け渡しに用いられるＵＳＢ（Universal serial Bus）ポート４１、並びに無線ネットワーク（Wireless Local Area Network）ユニット（通信部）４３、および通常のアナログ出力に利用される出力端子４５等が接続されている。
【００１６】
ＵＳＢポート４１は、ＵＳＢコネクタ４１ａを介して、プレーヤ１から、半導体メモリを収容したオーディオ専用再生装置（ＵＳＢフラッシュメモリプレーヤ）やＵＳＢスピーカ等の外部装置への音楽データ（音声データ）の転送、あるいはマイク（外部入力）からの音楽／音声信号の入力に利用される。無線ネットワークユニット４３には、例えば、ＩＥＥＥ８０２．１１ａ／ｂ／ｇに準拠した汎用の無線ＬＡＮ装置が設けられている。無線ネットワークユニット４３は、無線ＬＡＮアクセスポイントと通信を行うインフラストラクチャモードを有している。また、無線ネットワークユニット４３は、定期的にＥＳＳ−ＩＤを周囲にビーコン信号として発信する無線ＬＡＮアクセスポイントを検索する機能と、無線ＬＡＮアクセスポイントが送信する信号の強度を検出する機能を有する。
【００１７】
なお、無線ＬＡＮアクセスポイントとの通信の設定は、無線ＬＡＮユーティリティ６０によって行われる。
【００１８】
アナログ出力に利用される出力端子４５には、出力部１７に設けられたオーディオコーデック（Audio codec）４７によりアナログ信号に復調された音楽あるいは音声が供給される。従って、出力端子４５に、例えばヘッドホン（Head phone）あるいは増幅機能付きスピーカを装着することで、音楽または音声が再生される。もちろん、出力端子４５からの出力を図示しないアンプ装置に入力し、アンプ装置に図示しないスピーカを接続して、より大きな音量を得ることも可能である。なお、オーディオコーデック４７は、図示しないマイクまたはライン入力（外部入力）端から直接入力されるアナログ信号をＡＤ変換してデジタル信号として入力することも可能である。
【００１９】
出力端子４５には、出力部１７に設けられたビデオエンコーダ（Video encoder）４９も設けられている。これにより、例えばＨＤＤ７に保持されている映像データを、図示しないモニタ装置やテレビ受像機に転送して再生させることも可能である。
【００２０】
上述したメディアプレーヤ１においては、ＨＤＤ７には、予め圧縮された音楽データや画像データ、ビデオデータ等の（コンテンツ）が、所定の規則に従って記録される。なお、データの圧縮において、音楽データの圧縮には、例えばＭＰ３（ＭＰＥＧ−１  ａｕｄｉｏ  ｌａｙｅｒ  ３）、ＷＭＡ（Ｗｉｎｄｏｗｓ  Ｍｅｄｉａ  Ａｕｄｉｏ）等の方式が、画像データの圧縮には、例えばＪＰＥＧ、ＧＩＦあるいはＢＭＰ−ＲＬＥ等の方式が、ビデオデータの圧縮には、例えばＷＭＶ（Ｗｉｎｄｏｗｓ  Ｍｅｄｉａ  Ｖｉｄｅｏ）、ＭＰＥＧ等の方式が、それぞれ用いられる。また、詳述しないが、ＨＤＤ７に記憶されるデータは、著作権法で定められた「私的利用」以外の複製（回数を定めた複製以外）等を抑止するため、プレーヤ１を用いた直接の再生およびアナログ信号での外部スピーカ等への出力のみを可能として、暗号化された形式で保存することも可能である。
【００２１】
本提案は、無線ＬＡＮ機能を内蔵したメディアプレーヤに関する。メディアプレーヤは、アクセスポイントを介してインターネット上の音楽や動画といったコンテンツをダウンロードする機能を有している。
【００２２】
ダウンロードの際にはネットワークに接続する必要があるが、自宅、会社、公衆無線ＬＡＮスポット、といった複数のネットワークが利用可能な環境では、場所に応じて接続するネットワークを切り替える必要がある。本プレーヤは、このような環境において、複数のネットワークを切り替えて使用するための、ユーザにとって利便性の高い方法を提供する。
【００２３】
上述したメディアプレーヤの無線ＬＡＮ機能を用いて、インターネット上のコンテンツをダウンロードする手順を以下に説明する。
【００２４】
ユーザは、まず無線ＬＡＮユーティリティ６０を用いて利用する無線ＬＡＮネットワークを登録する。この手順を図３を参照して説明する。
【００２５】
メディアプレーヤのメニューから「ネットワーク設定・編集」を選択すると、図４に示す画面が表示される（図３のＤ１）。この画面には、新規のネットワーク登録を行うための「自動検索」、「手動設定」、「公衆無線ＬＡＮ」の項目と、その下に既に登録済みのネットワークの一覧（［自宅１］、［会社１］、［ＢＢモバイル］）が表示される。
【００２６】
通常の（公衆無線ＬＡＮではない）アクセスポイントを登録する場合、この画面において「自動検索」もしくは「手動設定」を選択する。「自動検索」を選択した場合（図３のＤ２）、周辺のアクセスポイントの検索を行い、発見したネットワーク名（ＳＳＩＤ）の一覧が表示される（図５、図３のＤ３）。
【００２７】
ユーザが、発見したネットワーク名（ＳＳＩＤ）の一覧から登録したいアクセスポイントを選択すると、詳細設定を行う画面が表示される（図６、図３のＤ４）。図６に示す詳細設定画面の各項目について説明する。「登録名」は、ネットワーク設定につける名前であり、ユーザが任意に設定できる。「ネットワーク名」は、ＳＳＩＤであり、図５で表示されたものに対応する。「セキュリティの種類」はアクセスポイントに接続する際の認証方式であり、「オープンシステム」、「共有キー」、「ＷＰＡ」、「ＷＰＡ２」がある。「暗号化の種類」はアクセスポイントと通信を行う際の暗号化方式であり、「ＷＥＰ」、「ＴＫＩＰ」、「ＡＥＳ」がある。「ネットワークキー」は、暗号化を行う際の鍵となる文字または数値の列である。「プロキシー」は、ネットワーク接続後にインターネット上のＨＴＴＰサーバと通信を行う際に、ＨＴＴＰプロキシーを経由する場合は、そのプロキシーサーバ名を設定する。「ＩＰアドレス設定」は、「自動」、「手動」の２種類があり、ＩＰアドレスの設定をＤＨＣＰサーバから自動で取得する場合は「自動」、手動設定する場合は「手動」を選択する。「手動」の場合は、ＩＰアドレスを入力する画面が表示されるので、設定を行う。
【００２８】
なお、「ネットワーク名」には図４においてユーザが選択したＳＳＩＤ、「セキュリティの種類」および「暗号化の種類」には、自動検索によって判明した、そのアクセスポイントで利用可能なセキュリティおよび暗号化設定のうち、最も望ましい（セキュリティ強度が高い）ものを規定の設定として表示する。ユーザは、通常は「ネットワークキー」だけを入力して、「確定」を選択すると、そのネットワークが登録される。ＩＰアドレス設定を、自動ではなく手動設定する必要がある場合や、セキュリティや暗号化の種類を既定の設定から変更したい場合は、変更することも可能である。
【００２９】
通常は、上記のように「自動設定」によって登録可能であるが、その場に存在しないネットワークを登録したい場合がある。また、登録したいアクセスポイントがステルス設定（ＳＳＩＤが非公開）されている場合がある。このステルス設定のネットワークは、自動検索では発見されず、ネットワーク名を指定して検索を行った場合にだけ発見が可能である。このような場合、ユーザは図４の画面において「手動設定」を選択する。すると、ネットワーク詳細設定を行う画面を、規定の設定が何もされていない状態で表示する。ユーザは、「ネットワーク名」、「セキュリティの種類」、「暗号化の種類」、「ネットワークキー」をすべて入力して「確定」を選択すると、ネットワークが登録される（図３のＤ５）。
【００３０】
次に、公衆無線ＬＡＮを登録する場合は、図５に示す画面状態において「公衆無線ＬＡＮ」を選択する。すると登録する公衆無線ＬＡＮの種類の一覧が表示されるので（図３のＤ６）、登録したい公衆無線ＬＡＮの種類を選択する。次に、図７に示すようにネットワーク詳細設定画面が表示される。ところで、公衆無線ＬＡＮの場合、「ネットワーク名」、「セキュリティの種類」、「暗号化の種類」、「ネットワークキー」は、公衆無線ＬＡＮごとに予め決められているため、それが規定の設定として入力される。ユーザは、公衆無線ＬＡＮにログインする際の「ログイン名」と「パスワード」だけを入力すればよい。
【００３１】
以上のようにしてネットワークの登録を行うと、図４に示すネットワーク一覧画面において、登録したネットワークが一覧表示される。この画面において、登録済みのネットワークを選択すると、図８に示すサブメニューが表示される。ここで「ネットワークの編集」を選択すると、図６に示した詳細設定画面が表示され、設定の変更を行うことができる。また、「ネットワークの削除」を選択すると、ネットワーク一覧から削除することができる。
【００３２】
図８に示す画面において「ネットワークを使用しない」を選択すると、図９に示すように選択されたネットワークのチェックボックスがチェックされていない状態となる。チェックされていない状態のネットワークは、後述する接続先ネットワーク選択画面において表示されない。この機能により、例えば、しばらく会社に行かないので会社のネットワーク設定を一時的に使用しない、という場合や、従量課金制の公衆無線ＬＡＮをしばらく使用したくない、というような場合に、登録したネットワーク設定を削除することなく、一時的に無効にしておくことができる。
【００３３】
次に、実際にネットワークに接続する際の手順を説明する。
【００３４】
音楽ファイルのダウンロードなど、ネットワークに接続する必要が生じると、図１０に示すような接続先ネットワーク選択画面が表示される。この画面には登録したネットワークの一覧が表示されるが、前述したように、ネットワーク一覧画面でチェックされていないネットワークは表示されない。ユーザが表示された候補の中からネットワークを選択すると、接続中であることを示す画面（図１１）が表示され、接続に成功すると引き続きダウンロードなどの処理が行われる。接続に失敗すると、その旨をメッセージ表示する。
【００３５】
また、接続先ネットワークの候補が１つしかなかった場合は、図９の画面を表示せずに即座に接続を行う。これにより、例えば自宅のアクセスポイントしか使用しないようなユーザの手間を省くことができる。
【００３６】
上記説明では、ネットワークに接続する際に、登録されたネットワークを一覧表示してユーザが選択するようにしたが、本実施形態ではさらにユーザの手間を省くことができる方法を提案する。
【００３７】
以下のネットワーク登録方法は、先に説明した方法とほぼ同じであるが、ネットワーク詳細設定画面に設定を１つ追加する（図１２）。ここで追加された「このネットワークは非公開」は、ネットワークがステルス設定かどうかを選択するものである。ここで「はい」に設定されたネットワークに対しては、後述する接続手順において、ネットワーク名を設定することによって検索が行われる。
【００３８】
「このネットワークは非公開」の既定の設定は、図４の画面で「自動設定」を選択して登録を行った場合は「いいえ」とし、「手動設定」を選択して登録を行った場合は「はい」とする。これは、自動検索の場合は発見されたネットワークはステルス設定ではなく、手動設定で登録する場合はステルス設定である可能性が高いためである。このように既定の設定を行うことにより、ユーザの手間を省くとともに、ステルス設定の意味をあまり理解していないユーザでも、特に意識することなく設定が可能になる。
【００３９】
今、登録済みのネットワークが図１３のようになっているものとする。このとき、本実施形態におけるネットワーク接続の手順を、図１４のフローチャートを参照してステップＳ梅井する。
【００４０】
ビーコン信号としてＥＳＳ−ＩＤを周囲に発信するアクセスポイントの検索を行い（ステップＳ１１）、発見された各アクセスポイント（ネットワーク）のネットワーク名（ＳＳＩＤ）、電波強度、サポートするセキュリティと暗号化設定の組み合わせを、発見済みネットワークテーブル（図１５）に追加する（ステップＳ１２）。
【００４１】
ｉに１を代入する（ステップＳ１３）。そして、ｉ番目の登録済みネットワークは発見済みであるか否かを判別する（ステップＳ１４）。発見済みではないと判断した場合（ステップＳ１４のＮＯ）、ｉ番目の登録済みネットワークは非公開設定であるか否かを判別する（ステップＳ１５）。非公開設定であると判断した場合（ステップＳ１５のＹＥＳ）、ｉ番目の登録済みネットワークのネットワーク名を設定して検索する（ステップＳ１６）。ステップＳ１６において検索される対象は、「ＨＯＭＥ＿ＡＰ２」と「ＯＦＦＩＣＥ＿ＡＰ」とである。
【００４２】
ｉ番目の登録済みネットワークが発見された場合（ステップＳ１７のＹＥＳ）、登録済みネットワークテーブルに追加する（ステップＳ１８）。ステップＳ１６において、「HOME_AP2」が発見されたものとすると、テーブルは図１６のようになる。
【００４３】
そして、ｉに元のｉに１を加算した値を代入する（ステップＳ１９）。そして、ｉが登録済みネットワーク数より大きいか否かを判別する（ステップＳ２０）。大きくないと判断した場合（ステップＳ２０のＮＯ）、ステップＳ１４からの処理を順次実行する。
【００４４】
大きいと判断した場合（ステップＳ２０のＹＥＳ）、発見済みテーブルから登録済みテーブルの設定条件に適合するものを選び出す（ステップＳ２１）。登録済みネットワークテーブルのうち、発見済みネットワークテーブルのネットワーク名、サポートするセキュリティと暗号化設定に適合するものを選び出す。ここでは、「HOME_AP1」と「HOME_AP2」となる（「mobilepoint」はセキュリティと暗号化の設定が異なるため、選ばれない）。
【００４５】
選び出したネットワークのうち電波強度が最も高いものを選択する（ステップＳ２２）。選び出した中で、電波強度の最も高いネットワークを接続先ネットワークとして選択する。ここでは、「HOME_AP2」となる。選択したネットワークに接続する。
【００４６】
以上の手順により、接続先の選択画面を表示することなく、最も望ましいネットワークを選択して自動的に接続することが可能となる。
【００４７】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４８】
【図１】本発明の一実施形態に係わる携帯機器の概略構成を示すブロック図。
【図２】図１に示す携帯機器の外観を示す正面図。
【図３】ネットワーク登録の手順を説明するための図。
【図４】ＬＣＤに表示されるネットワーク一覧画面を示す図。
【図５】ＬＣＤに表示される検索結果一覧画面を示す図。
【図６】ＬＣＤに表示されるネットワーク詳細設定画面を示す図。
【図７】ＬＣＤに表示される公衆無線ＬＡＮ詳細設定画面を示す図。
【図８】ＬＣＤに表示されるネットワーク一覧サブメニュー画面を示す図。
【図９】ＬＣＤに表示されるネットワーク一覧画面を示す図。
【図１０】ＬＣＤに表示される接続先ネットワーク選択画面を示す図。
【図１１】ＬＣＤに表示されるネットワーク接続中の画面を示す図。
【図１２】ＬＣＤに表示されるネットワーク詳細設定画面を示す図。
【図１３】登録済みネットワークのテーブルを示す図。
【図１４】接続先ネットワーク選択手順を示す図。
【図１５】発見済みネットワークのテーブルを示す図。
【図１６】非公開ネットワークを追加した発見済みネットワークのテーブルを示す図。
【符号の説明】
【００４９】
５…ＬＣＤパネル，１１…ＣＰＵ，２３…ＲＡＭ，４３…無線ネットワークユニット，６０…ＬＡＮユーティリティ。
【図１】
2009182893.tif 000003
【図２】
2009182893.tif 000004
【図３】
2009182893.tif 000005
【図４】
2009182893.tif 000006
【図５】
2009182893.tif 000007
【図６】
2009182893.tif 000008
【図７】
2009182893.tif 000009
【図８】
2009182893.tif 000010
【図９】
2009182893.tif 000011
【図１０】
2009182893.tif 000012
【図１１】
2009182893.tif 000013
【図１２】
2009182893.tif 000014
【図１３】
2009182893.tif 000015
【図１４】
2009182893.tif 000016
【図１５】
2009182893.tif 000017
【図１６】
2009182893.tif 000018